(57)【特許請求の範囲】
【請求項１】
横方向に長尺の支持フレームの一端側に駆動回転する駆動スプロケットを取付けると共に、他端側に従動スプロケットを取付け、前記駆動スプロケットと前記従動スプロケットとにわたって無端チェーンを掛け渡し、一対のローラ間に亘って無端ベルトを掛け渡したコンベアユニットの複数を、前記支持フレーム上で前記無端チェーンの長手方向に沿って着脱自在に並設し、
前記コンベアユニットは、無端ベルトを掛け渡した前記一対のローラを上下に着脱自在なユニット枠体を設けると共に、前記ユニット枠体に取り付けた前記一対のローラに前記無端ベルトを掛け渡した状態で平面視で囲繞する矩形の側板部を前記ユニット枠体に備えて、
前記ユニット枠体を前記支持フレームに着脱自在に取り付け、
前記コンベアユニットを前記支持フレーム上に取付けるに伴って前記無端チェーンに連動連結して前記一対のローラの内の少なくとも一方を駆動回転させる伝動スプロケットを、前記コンベアユニットの夫々に設けてあるベルト搬送装置。
【発明の詳細な説明】
【技術分野】
【０００１】
ベルト搬送装置に関する。
【背景技術】
【０００２】
従来、ベルト搬送装置は、図１１に示すように、横方向に長尺の支持フレームの一端側に駆動ローラ２４を取付けると共に、他端側に従動ローラ２５を取付け、それらの駆動ローラ２４と従動ローラ２５に亘って無端ベルトを掛け渡してあった。しかも、駆動ローラ２４と従動ローラ２５との間の離間距離が長い場合には、複数本の遊転ローラ２６が駆動ローラ２４と従動ローラ２５との間に、取付けてある（周知慣用技術で文献を特に示すことができない）。
【発明の概要】
【発明が解決しようとする課題】
【０００３】
上述した従来のベルト搬送装置で、メンテナンスのために無端ベルトを取り外して交換する場合には、駆動ローラ２４と従動ローラ２５とによる無端ベルト９に対する張力を緩め（図１１（ａ））、無端ベルト９を駆動ローラ２４又は従動ローラ２５の一方側から支持フレーム３の側方に移動させながら（図１１（ｂ）→（ｃ）→（ｄ）に示すように）、支持フレーム３全体から無端ベルト９を外す操作をする必要がある。
その上、特にベルト搬送装置が長いと、支持フレーム３を所定高さに設置支持する複数本の支柱２３が、支持フレーム３の下部でその長手方向に所定間隔で取付けてあることが多く、無端ベルト９を支持フレーム３から外すには、支持フレーム３と各支柱２３との間の連結部を外さなければならず、実際には一端側の支柱２３から順に、支持フレーム３との連結部を外して、無端ベルト９をその外した連結部間の隙間を通すという操作を、各支柱２３ごとに行うもので、非常に手間が掛かるという問題点があった。しかも、無端ベルト９の一部でも痛んでいれば、その無端ベルト９を外して交換しなければならず、不経済でもあった。
【０００４】
従って、本発明の目的は、上記問題点を解消し、無端ベルトのメンテナンスを簡単に、しかも、経済的に行えるベルト搬送装置を提供するところにある。
【課題を解決するための手段】
【０００５】
本発明の第１の特徴構成は、横方向に長尺の支持フレームの一端側に駆動回転する駆動スプロケットを取付けると共に、他端側に従動スプロケットを取付け、前記駆動スプロケットと前記従動スプロケットとにわたって無端チェーンを掛け渡し、一対のローラ間に亘って無端ベルトを掛け渡したコンベアユニットの複数を、前記支持フレーム上で前記無端チェーンの長手方向に沿って着脱自在に並設し、前記コンベアユニットは、無端ベルトを掛け渡した前記一対のローラを上下に着脱自在なユニット枠体を設けると共に、前記ユニット枠体に取り付けた前記一対のローラに前記無端ベルトを掛け渡した状態で平面視で囲繞する矩形の側板部を前記ユニット枠体に備えて、前記ユニット枠体を前記支持フレームに着脱自在に取り付け、前記コンベアユニットを前記支持フレーム上に取付けるに伴って前記無端チェーンに連動連結して前記一対のローラの内の少なくとも一方を駆動回転させる伝動スプロケットを、前記コンベアユニットの夫々に設けてあるところにある。
【０００６】
本発明の第１の特徴構成によれば、ベルト搬送装置において全ての無端ベルトを取り外さなくとも、複数のコンベアユニットの内、損傷した無端ベルトの取り付いたコンベアユニットのみを、支持フレームから取り外し交換するだけでメンテナンスが完了する。
従って、短時間の簡単な手間でしかも経済的にメンテナンスが行える。
その上、交換した新しいコンベアユニットは、支持フレーム上に取付けるに伴って、コンベアユニットに設けてある伝動スプロケットが、支持フレームの駆動スプロケットと従動スプロケットに掛け渡された無端チェーンに連動連結する。これにより、動力がコンベアユニットに伝わり、簡単にベルト搬送装置の一部として搬送機能を備えさせることができる。つまり、全体として動力装置は一つで済む。
【０００７】
【０００８】
支持フレームに着脱自在に取付けるユニット枠体から一対のローラが簡単に着脱できるために、コンベアユニットからの無端ベルトも簡単に取り外して交換でき、経済性及びメンテナンス性はより良いものとなる。
【０００９】
【００１０】
【図面の簡単な説明】
【００１１】
【図１】本発明の一端側の要部正面図である。
【図２】本発明の他端側の要部正面図である。
【図３】本発明の要部側面図である。
【図４】要部正面図で、（ａ）は、コンベアユニットを取付けた状態、（ｂ）は、コンベアユニットを取り外した状態を示す
【図５】コンベアユニットの分解斜視図である。
【図６】コンベアユニットの全体斜視図である。
【図７】コンベアユニットの縦断正面図である。
【図８】横搬送装置による横搬送時の要部正面図である。
【図９】（ａ）別実施形態の縦搬送時の要部正面図、（ｂ）別実施形態の横搬送時の要部正面図である。
【図１０】（ａ）別実施形態の縦搬送時の要部側面図、（ｂ）別実施形態の横搬送時の要部側面図である。
【図１１】従来のベルト搬送装置のベルトを外す作用説明図で、（ａ）は通常時の平面図、（ｂ）はベルトを外す初期の平面図、（ｃ）は（ｂ）の状態の正面図、（ｄ）はベルトを更に外す状態の正面図。
【発明を実施するための形態】
【００１２】
以下に本発明の実施の形態を図面に基づいて説明する。尚、図面において従来例と同一の符号で表示した部分は、同一又は相当の部分を示している。
【００１３】
図１〜図８に示すように、設置固定フレーム１に対して、横方向に長尺で、且つ、昇降シリンダ２により昇降駆動操作される支持フレーム３を設け、その支持フレーム３の一端側に、駆動モータ４により駆動回転する駆動スプロケット５を取付けると共に、他端側に従動スプロケット６を取付け、駆動スプロケット５と従動スプロケット６とにわたって無端チェーン７を掛け渡し、一対のローラ８間に亘って無端ベルト９を掛け渡したコンベアユニット１０の複数を、支持フレーム３上で無端チェーン７の長手方向に沿って所定間隔置きに着脱自在に並設し、コンベアユニット１０を支持フレーム３上に取付けるに伴って無端チェーン７に連動連結して（図４（ａ）、（ｂ）参照）一対のローラ８の内の少なくとも一方を駆動回転させる伝動スプロケット１１を、コンベアユニット１０の夫々に設けて、鉄筋やパイプなどの長尺体を搬送するベルト搬送装置を構成してある。
【００１４】
前記ベルト搬送装置には、更に、並設した複数のコンベアユニット１０間夫々に、コンベアユニット１０による搬送方向とは交差する方向に長尺体を搬送自在な無端チェーン７式の横搬送装置１２を設けて設置固定フレーム１に取付けてあり、支持フレーム３の上昇操作によってコンベアユニット１０を横搬送装置１２よりも高い位置に変位させた縦搬送状態と（図１、図２）、支持フレーム３を下降操作してコンベアユニット１０を横搬送装置１２よりも低い位置に変位させた横搬送状態（図８）とに搬送切替機構を設けてある。従って、長尺体をコンベアユニット１０による縦搬送（図１、図２）と横搬送装置１２による横搬送（図８）とが、搬送切替機構による切換え操作により、択一的に異なる方向に搬送できるように構成してある。
【００１５】
前記コンベアユニット１０は、図５〜図７に示すように、一対のローラ８を着脱自在に取付けるユニット枠体１３を設け、ユニット枠体１３を支持フレーム３に第１ボルト１４を介して着脱自在に取付けてある。つまり、ユニット枠体１３の測板部には、一対のローラ８の両端に取付けた軸受けフランジ部１５それぞれを嵌合するＵ字状の切欠き部１６が形成してあり、その切欠き部１６に軸受けフランジ部１５を嵌合させて第２ボルト１７を螺着させることで、ローラ８夫々がユニット枠体１３に取付けられる。
尚、ユニット枠体１３の側板部１８には、切欠き部１６の上方から軸受けフランジ部１５の上部を固定する平板１９が固定できるようにしてある。
また、無端ベルト９に対するテンションローラ２０とそのテンションローラ２０を無端ベルト９に押付けるためのベルト緊張装置２１を、図３、図５、図７に示すように、第３ボルト２２の螺進操作により押圧調整自在にユニット枠体１３の下部に取付けてある。
【００１６】
〔別実施形態〕
以下に他の実施の形態を説明する。
【００１７】
〈１〉  前記伝動スプロケット１１は、一対のローラ８の少なくとも一方に設けてあればよい。
〈２〉  前記搬送切替機構は、支持フレーム３を昇降操作自在に構成した例を示したが、支持フレーム３は上下移動しないように固定で、横搬送装置１２を支持する支持体を昇降操作自在に構成してあっても良く、例えば、図９、図１０に示すように、コンベアユニット１０よりも高い位置に上端面を上昇させて、鉄筋３０縦搬送時に鉄筋３０先端を側面に突き当てて、搬送終端位置を規制するストッパーとしての機能を有する突き当て板２７を、複数並設したコンベアユニット１０間に夫々昇降自在に配設し、ストッパーとしての作用時には、複数の突き当て板２７を択一的に上昇させる。突き当て板２７夫々の横側に、横方向に突出片２９を駆動移動するチェーン装置２８を設け、鉄筋３０横搬送時には、複数の突き当て板２７をコンベアユニット１０よりも高い位置に上昇させて、コンベアユニット１０上の鉄筋３０を（図９（ａ））、突き当て板２７の上端面に載置させながら持ち上げ（図９（ｂ））、この状態で、チェーン装置２８の駆動回転で突出片２９を横移動させることにより(尚、図１０でチェーン装置２８による突出片２９の移動は、左右いずれにも移動操作可能である)、鉄筋３０を横移動させる横搬送装置１２を、突き当て板２７とチェーン装置２８とで構成してある（図１０（ａ）→図１０（ｂ））。また、支持フレーム３と支持体の双方が、相対的に昇降操作自在に構成してあっても良い。
【００１８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００１９】
３      支持フレーム
５      駆動スプロケット
６      従動スプロケット
７      無端チェーン
８      ローラ
９      無端ベルト
１０    コンベアユニット
１１    伝動スプロケット
１２    横搬送装置
１３    ユニット枠体
【図１】
0005472849.tif 000002
【図２】
0005472849.tif 000003
【図３】
0005472849.tif 000004
【図４】
0005472849.tif 000005
【図５】
0005472849.tif 000006
【図６】
0005472849.tif 000007
【図７】
0005472849.tif 000008
【図８】
0005472849.tif 000009
【図９】
0005472849.tif 000010
【図１０】
0005472849.tif 000011
【図１１】
0005472849.tif 000012